(57)【要約】【課題】  スタンバイ状態における消費電力を低減する。【解決手段】  集光レンズ１２１は、送信されてきたコマンド信号を集光して、光ケーブル８４に入射させる。光ケーブル８４は、入射したコマンド信号を伝送し、受光部１２２に入射させる。受光部１２２は、光ケーブル８４から入射したコマンド信号を光信号から電気信号に変換して、CPU１９１に供給する。CPU１９１は、コマンド信号に基づき、接点２４１、リレー１９３の接点、および接点２４３を閉じさせて、交流電源からメイン電源２２５にＡＣ電力を供給させる。本発明は、分離型のテレビジョン受像機などに適用することができる。【選択図】  図４
2006295271.tif 000002
【特許請求の範囲】
【請求項１】
互いに接続された表示部と表示制御部とからなる表示装置において、
前記表示部は、
送信されてきた動作を指令する光信号であるコマンド光信号を集光して、前記表示部と前記表示制御部とを接続している光ケーブルに入射させる集光手段と、
前記表示部の各部に電力を供給する第１の電力供給手段と
を備え、
前記表示制御部は、
前記光ケーブルを介して伝送されてきた前記コマンド光信号を受光して、受光した前記コマンド光信号を電気信号であるコマンド電気信号に変換する受光手段と、
前記コマンド電気信号に基づいて、前記第１の電力供給手段の前記表示部の各部への電力の供給を制御する制御手段と
を備える
ことを特徴とする表示装置。
【請求項２】
前記表示部は、
前記制御手段の制御の基に、前記第１の電力供給手段の前記表示部の各部への電力の供給を入り切りするリレーをさらに備え、
前記表示制御部は、
前記リレーに電力を供給する第２の電力供給手段をさらに備え、
前記制御手段は、前記コマンド電気信号に基づいて、さらに、前記第２の電力供給手段の前記リレーへの電力の供給を制御するとともに、前記リレーを前記第２の電力供給手段から前記リレーに供給された電力を基に動作させて、前記リレーに前記第１の電力供給手段の前記表示部の各部への電力の供給を入り切りさせる
ことを特徴とする請求項１に記載の表示装置。
【請求項３】
互いに接続された表示部と表示制御部とからなる表示装置の電力供給制御方法において、
送信されてきた動作を指令する光信号であるコマンド光信号を前記表示部に設けられた集光手段において集光し、前記表示部と前記表示制御部とを接続している光ケーブルに入射させて、前記光ケーブルに入射させた前記コマンド光信号を前記表示制御部まで伝送させる集光ステップと、
前記光ケーブルを介して伝送されてきた前記コマンド光信号を前記表示制御部に設けられた受光手段において受光して、前記コマンド光信号を電気信号であるコマンド電気信号に変換する受光ステップと、
前記コマンド電気信号に基づいて、前記表示制御部に設けられた制御手段により、前記表示部に設けられた電力供給手段の前記表示部の各部への電力の供給を制御する制御ステップと
を含むことを特徴とする電力供給制御方法。
【発明の詳細な説明】
【技術分野】
【０００１】
本発明は表示装置および電力供給制御方法に関し、特に、スタンバイ状態における消費電力を低減することができるようにした表示装置および電力供給制御方法に関する。
【背景技術】
【０００２】
近年、ディスプレイと、チューナなどが内蔵されているメディアレシーバ（セットトップボックス、レシーバボックスなどとも称される）とが分離して設置（配置）される、いるいわゆる分離型（セパレート型）のテレビジョン受像機が普及してきている。分離型のテレビジョン受像機においては、ディスプレイとメディアレシーバとが、銅線ケーブルにより電気的に接続されており、銅線ケーブルを介して、各種の設定などを行う制御信号、映像信号、または音声信号の授受を行っている。
【０００３】
このような従来の分離型のテレビジョン受像機は、図１に示すように構成される。
【０００４】
分離型のテレビジョン受像機は、画像を表示するディスプレイを含むディスプレイ部１１と、チューナなどが内蔵されているメディアレシーバ１２とからなり、ディスプレイ部１１およびメディアレシーバ１２は図示せぬ銅線ケーブルにより電気的に接続されている。
【０００５】
ディスプレイ部１１は、図示せぬリモートコマンダから送信されてくる光信号（赤外線信号）であるコマンド信号を受光する受光部２１、コンセント２２を介して図示せぬ交流（ＡＣ）電源に接続されている電力供給部２３、ディスプレイ部１１の各部を制御するMCU（Micro Controller Unit）２４、利用者にテレビジョン受像機がスタンバイ状態（スリープ状態）であることを通知するスタンバイLED（Light Emitting Diode）２５から構成される。
【０００６】
また、ディスプレイ部１１の電力供給部２３は、ディスプレイ部１１の各部にＤＣ（直流）電力を供給するメイン電源５１、交流電源からメイン電源５１へのＡＣ電力の供給を入り切りするリレー５２、並びにリレー５２、受光部２１、およびMCU２４にＤＣ電力を供給するスタンバイ電源５３からなり、ディスプレイ部１１が、交流電源に接続され、テレビジョン受像機がスタンバイ状態である場合、リレー５２の接点は開かれ（開放され）、メイン電源５１にはＡＣ電力が供給されない状態となっている。
【０００７】
メディアレシーバ１２は、メディアレシーバ１２の各部を制御するCPU（Central Processing Unit）２６、およびコンセント２７を介して図示せぬ交流（ＡＣ）電源に接続されている電力供給部２８から構成される。
【０００８】
メディアレシーバ１２の電力供給部２８は、メディアレシーバ１２の各部にＤＣ電力を供給するメイン電源５４、交流電源からメイン電源５４へのＡＣ電力の供給を入り切りするリレー５５、並びにリレー５５およびCPU２６にＤＣ電力を供給するスタンバイ電源５６からなり、メディアレシーバ１２が、交流電源に接続され、テレビジョン受像機がスタンバイ状態である場合、リレー５５の接点は開放され、メイン電源５４にはＡＣ電力が供給されない状態となっている。
【０００９】
さらに、MCU２４とCPU２６とは、銅線ケーブルに含まれている信号線であり、ディスプレイ部１１とメディアレシーバ１２とが銅線ケーブルにより正しく（正常に）接続されていることを検出するための接続検出線２９、CPU２６からMCU２４に各種の設定を行うための信号を送信するための信号線であるTXD３０、およびMCU２４からCPU２６に各種の設定を行うための信号を送信するための信号線であるRXD３１により互いに接続されている。
【００１０】
テレビジョン受像機がスタンバイ状態である場合、メイン電源５１にはＡＣ電力が供給されない状態となっているが、交流電源からスタンバイ電源５３にはＡＣ電力が供給されるようになされている。スタンバイ電源５３は、交流電源からのＡＣ電力を整流することにより、ＤＣ電力に変換し、これにより得られたＤＣ電力を、リレー５２、受光部２１、およびMCU２４に供給する。また、この場合、MCU２４は、スタンバイLED２５を点灯させて、利用者にテレビジョン受像機がスタンバイ状態であることを通知させる。
【００１１】
同様に、テレビジョン受像機がスタンバイ状態である場合、メイン電源５４にはＡＣ電力が供給されない状態となっているが、交流電源からスタンバイ電源５６にはＡＣ電力が供給されるようになされている。スタンバイ電源５６は、交流電源からのＡＣ電力を整流することにより、ＤＣ電力に変換し、これにより得られたＤＣ電力を、リレー５５、およびCPU２６に供給する。
【００１２】
テレビジョン受像機がスタンバイ状態である場合に、利用者の操作に応じて、図示せぬリモートコマンダから、メイン電源５１およびメイン電源５４のオンを指令するコマンド信号が送信されてくると、受光部２１は、リモートコマンダからのコマンド信号を受光して、受光した光信号であるコマンド信号を、受光した光の強さに応じた電気信号に変換する。さらに、受光部２１は、電気信号に変換されたコマンド信号を増幅させ、波形整形してCPU２６に供給する。
【００１３】
CPU２６は、受光部２１から供給されたコマンド信号を解読（解釈）する。この場合、受光部２１から供給されたコマンド信号は、メイン電源５１およびメイン電源５４のオンを指令するコマンド信号であるので、CPU２６は、リレー５５を制御して、リレー５５の接点を閉じさせる。これにより、交流電源からメイン電源５４にＡＣ電力が供給されるので、メイン電源５４は、交流電源からのＡＣ電力を整流することにより、ＤＣ電力に変換し、これにより得られたＤＣ電力をメディアレシーバ１２の各部に供給する。
【００１４】
さらに、CPU２６は、リレー５５の接点を閉じさせると、リレー５２を制御して、リレー５２の接点を閉じさせる。これにより、交流電源からメイン電源５１にＡＣ電力が供給されるので、メイン電源５１は、交流電源からのＡＣ電力を整流することにより、ＤＣ電力に変換し、これにより得られたＤＣ電力をディスプレイ部１１の各部に供給する。そして、ディスプレイ部１１およびメディアレシーバ１２の各部にＤＣ電力が供給されることによって、テレビジョン受像機は動作状態（すなわち、メイン電源５１およびメイン電源５４がオンされた状態）となる。
【００１５】
テレビジョン受像機が動作状態となると、CPU２６は、TXD３０またはRXD３１を介してMCU２４と信号の授受を行い、受光部２１から供給されるコマンド信号に応じた処理を行う。
【００１６】
このようにして、従来のテレビジョン受像機では、ディスプレイ部１１において、リモートコマンダからのコマンド信号を受光（受信）して、メディアレシーバ１２は、受信されたコマンド信号に応じた処理を行う。
【００１７】
また、従来の分離型のテレビジョン受像機には、ディスプレイ部とメディアボックスとを電気的に接続せずに、無線通信により映像信号、音声信号、および制御信号の送受信を行っているものもある（例えば、特許文献１参照）。
【特許文献１】特開２００１−１６０９２７号公報
【発明の開示】
【発明が解決しようとする課題】
【００１８】
ところで、近年では、省エネルギーの観点から、テレビジョン受像機のスタンバイ状態における消費電力（待機時消費電力）を0.1W以下に抑えることが要求されている。
【００１９】
しかしながら、従来の分離型のテレビジョン受像機においては、リモートコマンダからのコマンド信号を受光するための受光部にＤＣ電力を供給する、ディスプレイ部のスタンバイ電源と、コマンド信号を解読するためのCPUにＤＣ電力を供給する、メディアレシーバのスタンバイ電源とが必要であり、待機時消費電力を0.1W以下に抑えるためには、１つのスタンバイ電源の消費電力を0.05W以下に抑えなければならない。現状では、１つのスタンバイ電源自体の効率が３０％乃至４０％程度であることを考慮すると、受光部やCPUを動作させない状態においても、１つのスタンバイ電源の消費電力は0.02W程度となるため、分離型のテレビジョン受像機の待機時消費電力を削減（低減）することは非常に困難であった。
【００２０】
本発明は、このような状況に鑑みてなされたものであり、スタンバイ状態における消費電力をより低減することができるようにするものである。
【課題を解決するための手段】
【００２１】
本発明の表示装置は、表示部は、送信されてきた動作を指令する光信号であるコマンド光信号を集光して、表示部と表示制御部とを接続している光ケーブルに入射させる集光手段と、表示部の各部に電力を供給する第１の電力供給手段とを備え、表示制御部は、光ケーブルを介して伝送されてきたコマンド光信号を受光して、受光したコマンド光信号を電気信号であるコマンド電気信号に変換する受光手段と、コマンド電気信号に基づいて、第１の電力供給手段の表示部の各部への電力の供給を制御する制御手段とを備えることを特徴とする。
【００２２】
表示部には、制御手段の制御の基に、第１の電力供給手段の表示部の各部への電力の供給を入り切りするリレーをさらに設け、表示制御部には、リレーに電力を供給する第２の電力供給手段をさらに設け、制御手段に、コマンド電気信号に基づいて、さらに、第２の電力供給手段のリレーへの電力の供給を制御させるとともに、リレーを第２の電力供給手段からリレーに供給された電力を基に動作させて、リレーに第１の電力供給手段の表示部の各部への電力の供給を入り切りさせるようにすることができる。
【００２３】
本発明の電力供給制御方法は、送信されてきた動作を指令する光信号であるコマンド光信号を表示部に設けられた集光手段において集光し、表示部と表示制御部とを接続している光ケーブルに入射させて、光ケーブルに入射させたコマンド光信号を表示制御部まで伝送させる集光ステップと、光ケーブルを介して伝送されてきたコマンド光信号を表示制御部に設けられた受光手段において受光して、コマンド光信号を電気信号であるコマンド電気信号に変換する受光ステップと、コマンド電気信号に基づいて、表示制御部に設けられた制御手段により、表示部に設けられた電力供給手段の表示部の各部への電力の供給を制御する制御ステップとを含むことを特徴とする。
【００２４】
本発明の表示装置および電力供給制御方法においては、送信されてきた動作を指令する光信号であるコマンド光信号が表示部に設けられた集光手段において集光され、表示部と表示制御部とを接続している光ケーブルに入射して、光ケーブルに入射したコマンド光信号が表示制御部まで伝送され、光ケーブルを介して伝送されてきたコマンド光信号が表示制御部に設けられた受光手段において受光され、コマンド光信号が電気信号であるコマンド電気信号に変換され、コマンド電気信号に基づいて、表示制御部に設けられた制御手段により、表示部に設けられた電力供給手段の表示部の各部への電力の供給が制御される。
【発明の効果】
【００２５】
本発明によれば、スタンバイ状態における消費電力をより低減することができる。
【発明を実施するための最良の形態】
【００２６】
以下に本発明の実施の形態を説明するが、本明細書に記載の発明と、発明の実施の形態との対応関係を例示すると、次のようになる。この記載は、本明細書に記載されている発明をサポートする実施の形態が本明細書に記載されていることを確認するためのものである。従って、発明の実施の形態中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００２７】
さらに、この記載は、本明細書に記載されている発明の全てを意味するものではない。換言すれば、この記載は、本明細書に記載されている発明であって、この出願では請求されていない発明の存在、すなわち、将来、分割出願されたり、補正により出現、追加される発明の存在を否定するものではない。
【００２８】
請求項１に記載の表示装置は、表示部（例えば、図４のディスプレイ部８１）は、送信されてきた動作を指令する光信号であるコマンド光信号を集光して、表示部と表示制御部（例えば、図４のメディアレシーバ８２）とを接続している光ケーブル（例えば、図４の光ケーブル８４）に入射させる集光手段（例えば、図４の集光レンズ１２１）と、表示部の各部に電力を供給する第１の電力供給手段（例えば、図４のメイン電源２２５）とを備え、表示制御部は、光ケーブルを介して伝送されてきたコマンド光信号を受光して、受光したコマンド光信号を電気信号であるコマンド電気信号に変換する受光手段（例えば、図４の受光部１２２）と、コマンド電気信号に基づいて、第１の電力供給手段の表示部の各部への電力の供給を制御する制御手段（例えば、図４のCPU１９１）とを備えることを特徴とする。
【００２９】
請求項２に記載の表示装置は、表示部（例えば、図４のディスプレイ部８１）は、制御手段（例えば、図４のCPU１９１）の制御の基に、第１の電力供給手段（例えば、図４のメイン電源２２５）の表示部の各部への電力の供給を入り切りするリレー（例えば、図４のリレー２２４）をさらに備え、表示制御部（例えば、図４のメディアレシーバ８２）は、リレーに電力を供給する第２の電力供給手段（例えば、図４のメイン電源２２３）をさらに備え、制御手段は、コマンド電気信号に基づいて、さらに、第２の電力供給手段のリレーへの電力の供給を制御させるとともに、リレーを第２の電力供給手段からリレーに供給された電力を基に動作させて、リレーに第１の電力供給手段の表示部の各部への電力の供給を入り切りさせることを特徴とする。
【００３０】
請求項３に記載の電力供給制御方法は、送信されてきた動作を指令する光信号であるコマンド光信号を表示部（例えば、図４のディスプレイ部８１）に設けられた集光手段（例えば、図４の集光レンズ１２１）において集光し、表示部と表示制御部（例えば、図４のメディアレシーバ８２）とを接続している光ケーブル（例えば、図４の光ケーブル８４）に入射させて、光ケーブルに入射させたコマンド光信号を表示制御部まで伝送させる集光ステップ（例えば、図５のステップＳ１１の処理）と、光ケーブルを介して伝送されてきたコマンド光信号を表示制御部に設けられた受光手段（例えば、図４の受光部１２２）において受光して、コマンド光信号を電気信号であるコマンド電気信号に変換する受光ステップ（例えば、図５のステップＳ１２の処理）と、コマンド電気信号に基づいて、表示制御部に設けられた制御手段（例えば、図４のCPU１９１）により、表示部に設けられた電力供給手段（例えば、図４のメイン電源２２５）の表示部の各部への電力の供給を制御する制御ステップ（例えば、図５のステップＳ１４の処理乃至ステップＳ１６の処理）とを含むことを特徴とする。
【００３１】
本発明は、チューナ、DVD（Digital Versatile Disk）レコーダなどが内蔵されたメディアレシーバと、ディスプレイとが分離して配置される分離型のテレビジョン受像機などに適用することができる。
【００３２】
以下、図面を参照して本発明を適用した実施の形態について説明する。
【００３３】
図２は、本発明を適用した分離型のテレビジョン受像機の構成例を示す図である。
【００３４】
テレビジョン受像機７１は、例えば、液晶ディスプレイまたはプラズマディスプレイなどよりなるディスプレイ部８１、およびチューナなどが内蔵されているメディアレシーバ８２を含むように構成され、ディスプレイ部８１とメディアレシーバ８２とが、銅線ケーブル８３および光ケーブル８４により接続されている。
【００３５】
メディアレシーバ８２には、スイッチ１０１が設けられており、利用者がスイッチ１０１を押圧することによって、テレビジョン受像機７１のメイン電源をオン、オフできるようになされている。
【００３６】
例えば、ディスプレイ部８１およびメディアレシーバ８２が図示せぬ交流電源に接続されており、ディスプレイ部８１の表示部１０２に画像が表示されていないスタンバイ状態において、利用者がスイッチ１０１を押圧すると、テレビジョン受像機７１のメイン電源がオンされて、テレビジョン受像機７１は、スタンバイ状態から、ディスプレイ部８１の表示部１０２に、メディアレシーバ８２が受信した番組などの画像を表示する動作状態となる。
【００３７】
逆に、例えば、動作状態において、利用者がスイッチ１０１を押圧すると、テレビジョン受像機７１のメイン電源がオフされて、テレビジョン受像機７１は、スタンバイ状態となり、ディスプレイ部８１の表示部１０２には画像は表示されない。
【００３８】
また、ディスプレイ部８１には、メディアレシーバ８２が受信した番組（画像）などを表示する表示部１０２、テレビジョン受像機７１がスタンバイ状態であることを利用者に通知するスタンバイLED１０３、およびリモートコマンダ８５からのコマンド信号を集光する集光部１０４が設けられている。
【００３９】
スタンバイLED１０３は、テレビジョン受像機７１が、スタンバイ状態である場合に点灯されるようになされており、スタンバイLED１０３は、点灯するかまたは消灯することにより、利用者にテレビジョン受像機７１がスタンバイ状態であるか、または動作状態であるかを通知する。
【００４０】
集光部１０４の内部には、図示せぬ集光レンズが設けられており、利用者がリモートコマンダ８５を操作することによりリモートコマンダ８５から送信されてくる、メイン電源のオン、所定のチャンネルの選局などを指令するコマンド信号を集光する。
【００４１】
コマンド信号は、例えば、SIRCS（Serial Infrared Remote Control System）などの規格に準拠した、波長が940nmの光信号（赤外線信号）であり、リモートコマンダ８５からコマンド信号（コマンド光信号）が送信されてくると、集光部１０４の集光レンズは、コマンド信号を集光して、光ファイバなどよりなる光ケーブル８４に入射させる。光ケーブル８４は、集光部１０４の集光レンズから入射したコマンド信号を、メディアレシーバ８２まで伝送する（供給する）。
【００４２】
メディアレシーバ８２にコマンド信号が供給されると、メディアレシーバ８２は、コマンド信号を光信号から電気信号に変換して、そのコマンド信号（コマンド電気信号）に応じた処理を行う。
【００４３】
例えば、供給されたコマンド信号が、テレビジョン受像機７１のメイン電源のオンを指令するコマンド信号である場合、メディアレシーバ８２は、メディアレシーバ８２に内蔵されているメイン電源をオンさせるとともに、所定の制御信号を、銅線ケーブル８３を介してディスプレイ部８１に供給することによりディスプレイ部８１を制御して、ディスプレイ部８１に内蔵されているメイン電源をオンさせる。
【００４４】
また、メディアレシーバ８２からディスプレイ部８１には、例えば、メディアレシーバ８２が内蔵するチューナにより受信された、番組を再生するための画像データや音声データなどが、銅線ケーブル８３を介して供給される。さらに、メディアレシーバ８２およびディスプレイ部８１は、銅線ケーブル８３を介して、各種の設定を行うための信号の授受を行う。
【００４５】
利用者がリモートコマンダ８５を操作すると、図３に示すように、リモートコマンダ８５から利用者の操作に応じたコマンド信号が送信され、コマンド信号は、集光レンズ１２１および光ケーブル８４を介して、受光部１２２に入射する。
【００４６】
図３では、リモートコマンダ８５は、LED１４１および反転増幅器１４２を含むように構成されている。LED１４１のアノード（陽極）は図示せぬ直流（ＤＣ）電源に接続されており、LED１４１のカソード（陰極）は、反転増幅器１４２の出力側の端子に接続されている。また、反転増幅器１４２の入力側の端子は、図示せぬLEDドライバに接続されている。
【００４７】
したがって、例えば、利用者がリモートコマンダ８５を操作すると、反転増幅器１４２には、LEDドライバから利用者の操作に応じた、所定の方式によりエンコードされた信号が供給され、反転増幅器１４２は、供給（入力）された信号を反転増幅する。反転増幅器１４２がLEDドライバから供給された信号を反転増幅することにより、LED１４１のカソードには、信号の反転増幅に応じた電圧がかかるので、その電圧に応じてLED１４１には電流が流れてLED１４１は発光する。このようにリモートコマンダ８５は、利用者の操作に応じてLED１４１を発光させることにより、光信号であるコマンド信号（コマンド光信号）を送信する。
【００４８】
リモートコマンダ８５からコマンド信号が送信されると、ディスプレイ部８１の集光部１０４に含まれている集光レンズ１２１は、リモートコマンダ８５から送信されてきたコマンド信号を集光して、集光したコマンド信号を光ケーブル８４に入射させる。
【００４９】
光ケーブル８４は、集光レンズ１２１から入射したコマンド信号をメディアレシーバ８２まで伝送し、メディアレシーバ８２の受光部１２２に入射させる。なお、伝送する光の波長帯が1200nmである光ケーブル（光ファイバ）の伝送損失は、0.4dB/Km程度であるので、例えば、波長が940nmであるコマンド信号を、伝送する光の波長帯が1200nmである光ケーブル８４で伝送させても、伝送損失や波形の変形はほとんどない。
【００５０】
集光レンズ１２１から光ケーブル８４を介して、コマンド信号（コマンド光信号）が伝送されてくると、メディアレシーバ８２の受光部１２２は、光ケーブル８４から入射した光（コマンド光信号）を受光し、受光したコマンド信号を電気信号に変換する。そして、受光部１２２は、電気信号に変換されたコマンド信号（コマンド電気信号）に、例えば、増幅、波形整形などの処理を施して、後段（例えば、後述する図４のCPU１９１）に供給する。
【００５１】
受光部１２２は、フォトダイオード１４３、増幅器１４４、トランジスタ１４５、および抵抗１４６を含むように構成されている。
【００５２】
フォトダイオード１４３のアノードは、アースに接続されており、フォトダイオード１４３は、光ケーブル８４から入射した光（コマンド信号）を受光して、受光した光の強さに応じた電気信号に変換する。これにより、フォトダイオード１４３から、フォトダイオード１４３のカソードに接続されている増幅器１４４には、電気信号であるコマンド信号が供給される。なお、受光部１２２にも集光レンズを設け、光ケーブル８４から出射した光を集光レンズにおいて集光させて、フォトダイオード１４３に入射させるようにしてもよい。
【００５３】
増幅器１４４は、フォトダイオード１４３から供給されたコマンド信号を増幅し、増幅したコマンド信号をトランジスタ１４５に供給する。トランジスタ１４５は、トランジスタ１４５のベース（端子）が、増幅器１４４の出力側の端子に接続されており、トランジスタ１４５のエミッタ（端子）が、アースに接続されており、トランジスタ１４５のコレクタ（端子）が、抵抗１４６および図示せぬCPUなどに接続されている。また、トランジスタ１４５のコレクタに接続されている抵抗１４６は、さらに、図示せぬ直流（ＤＣ）電源（例えば、後述する図４のスタンバイ電源２２２）に接続されている。
【００５４】
トランジスタ１４５は、増幅器１４４から供給されたコマンド信号をさらに増幅し、増幅したコマンド信号を図示せぬ増幅回路、波形整形回路などを介してCPUに供給する。すなわち、トランジスタ１４５において増幅されたコマンド信号は、図示せぬ増幅回路、波形整形回路などにおいて増幅および波形整形され、メディアレシーバ８２のCPUに供給される。そして、CPUは、受光部１２２から供給されたコマンド信号に応じた処理を行う。
【００５５】
図４は、テレビジョン受像機７１のより詳細な構成例を示す図である。なお、図４中、以上において説明した部分には同一の符号を付してあり、その説明は適宜省略する。
【００５６】
テレビジョン受像機７１のディスプレイ部８１およびメディアレシーバ８２は、銅線ケーブル８３および光ケーブル８４により互いに接続されており、ディスプレイ部８１およびメディアレシーバ８２は、それぞれ、コンセント１７１およびコンセント１７２を介して図示せぬ交流電源に接続されている。
【００５７】
メディアレシーバ８２は、受光部１２２、CPU１９１、電力供給部１９２、リレー１９３、接続検出線１９４、TXD１９５、およびRXD１９６を含むように構成され、また、ディスプレイ部８１は、集光レンズ１２１、スタンバイLED１０３、MCU１９７、ダイオード１９８、および電力供給部１９９を含むように構成される。
【００５８】
集光レンズ１２１は、リモートコマンダ８５から送信されてきたコマンド信号を集光して、光ケーブル８４に入射させる。光ケーブル８４は、集光レンズ１２１から入射したコマンド信号（光信号）をメディアレシーバ８２まで伝送し、伝送したコマンド信号（光信号）を受光部１２２に入射させる。
【００５９】
受光部１２２は、電力供給部１９２（スタンバイ電源２２２）からＤＣ電力を受けて動作し、光ケーブル８４から入射したコマンド信号（光信号）を受光する。受光部１２２は、受光した光信号であるコマンド信号を電気信号に変換し、これにより得られたコマンド信号に、例えば、増幅、波形整形などの処理を施してCPU１９１に供給する。
【００６０】
CPU１９１は、電力供給部１９２（スタンバイ電源２２２）からＤＣ電力を受けて動作し、受光部１２２から供給されたコマンド信号に、例えば、所定の方式のデコードなどの処理を施して、コマンド信号を解読（解釈）する。そして、CPU１９１は、コマンド信号を解読すると、コマンド信号（解読の結果）に応じた処理を行う。
【００６１】
CPU１９１は、テレビジョン受像機７１がスタンバイ状態である場合、スタンバイLED１０３に電圧を印加して、スタンバイLED１０３を点灯（発光）させ、テレビジョン受像機７１が動作状態である場合、スタンバイLED１０３に電圧を印加しないで、スタンバイLED１０３を消灯させる。
【００６２】
また、CPU１９１は、電力供給部１９９を制御して、電力供給部１９９のメイン電源２２５をオンまたはオフさせる。同様に、CPU１９１は、電力供給部１９２を制御して、電力供給部１９２のメイン電源２２３をオンまたはオフさせる。さらに、CPU１９１は、リレー１９３を制御し、リレー１９３の接点を開閉させる。
【００６３】
さらに、また、CPU１９１は、ダイオード１９８に所定の電圧をかけて、接続検出線１９４の電圧によって、銅線ケーブル８３がディスプレイ部８１およびメディアレシーバ８２に正しく（正常に）接続されていることを検出する。さらに、また、CPU１９１は、TXD１９５を介して、MCU１９７に各種の設定を行うための信号を送信し、RXD１９６を介して、MCU１９７から送信されてきた各種の設定を行うための信号を受信して、MCU１９７と信号の授受を行って各種の設定を行う。
【００６４】
電力供給部１９２は、コンセント１７２を介して図示せぬ交流電源に接続されており、交流電源からのＡＣ電力を整流することにより、ＤＣ電力に変換し、これにより得られたＤＣ電力をメディアレシーバ８２およびディスプレイ部８１の各部に供給する。電力供給部１９２は、リレー２１１、スタンバイ電源２２２、およびメイン電源２２３を含むように構成される。
【００６５】
リレー２２１は、接点２４１およびコイル２４２を含むように構成され、CPU１９１の制御の基に、交流電源からメイン電源２２３へのＡＣ電力の供給を入り切りする。すなわち、コイル２４２には、スタンバイ電源２２２から駆動電圧（ＤＣ電力）が供給され、コイル２４２は、接点２４１を開閉させる。リレー２２１の接点２４１が開いている場合、交流電源からメイン電源２２３へのＡＣ電力の供給が遮断され、リレー２２１の接点２４１が閉じている場合、メイン電源２２３にＡＣ電力が供給される。
【００６６】
リレー２２１の接点２４１は、テレビジョン受像機７１がスタンバイ状態である場合、接点２４１が開かれて、テレビジョン受像機７１が動作状態である場合、接点２４１が閉じられる（接続される）ようになされている。
【００６７】
スタンバイ電源２２２は、交流電源からのＡＣ電力を整流することにより、ＤＣ電力に変換し、これにより得られたＤＣ電力をリレー２２１、CPU１９１、および受光部１２２に供給する。また、メイン電源２２３は、交流電源からのＡＣ電力を整流することにより、ＤＣ電力に変換し、これにより得られたＤＣ電力をメディアレシーバ８２の各部、MCU１９７、および電力供給部１９９のリレー２２４に供給する。なお、メイン電源２２３は、スタンバイ電源２２２が供給することができるＤＣ電力に比べて、より大きいＤＣ電力を供給できるようになされている。
【００６８】
リレー１９３は、CPU１９１の制御の基に、リレー１９３の接点を開閉する。リレー１９３は、テレビジョン受像機７１が動作状態である場合、リレー１９３の接点が閉じられて、メイン電源２２３からリレー１９３の接点を介して、MCU１９７および電力供給部１９９のリレー２２４にＤＣ電力が供給されるようになされている。また、リレー１９３は、テレビジョン受像機７１がスタンバイ状態である場合、リレー１９３の接点が開かれて、メイン電源２２３からMCU１９７および電力供給部１９９のリレー２２４には、ＤＣ電力が供給されないようになされている。
【００６９】
接続検出線１９４、TXD１９５、およびRXD１９６のそれぞれは、銅線ケーブル８３に含まれている信号線であり、CPU１９１とMCU１９７とを接続している。接続検出線１９４は、銅線ケーブル８３が正しく接続されていることを検出するための信号線であり、接続検出線１９４には、ダイオード１９８のカソード（の端子）が接続されている。メディアレシーバ８２とディスプレイ部８１とが銅線ケーブル８３により正しく接続されていない場合（例えば、銅線ケーブル８３がメディアレシーバ８２に接続されていない場合）、ダイオード１９８（のカソード側）にはCPU１９１からの電圧がかからないようになされており、CPU１９１において接続エラーが検出される。
【００７０】
また、TXD１９５は、CPU１９１からの信号をMCU１９７に供給し、RXD１９６は、MCU１９７からの信号をCPU１９１に供給する。
【００７１】
MCU１９７は、電力供給部１９２（メイン電源２２３）からＤＣ電力を受けて動作し、ディスプレイ部８１の各部を制御する。また、MCU１９７は、TXD１９５およびRXD１９６を介してCPU１９１と信号の授受を行い、各種の設定の処理などを行う。
【００７２】
ダイオード１９８は、ダイオード１９８のアノード（の端子）が、CPU１９１とスタンバイLED１０３とを接続する信号線に接続されており、ダイオード１９８のカソード（の端子）が、接続検出線１９４に接続されている。ダイオード１９８は、CPU１９１からの電圧を接続検出線１９４に印加する。
【００７３】
電力供給部１９９は、コンセント１７１を介して図示せぬ交流電源に接続されており、交流電源からのＡＣ電力を整流することにより、ＤＣ電力に変換し、これにより得られたＤＣ電力をディスプレイ部８１の各部に供給する。電力供給部１９９は、リレー２２４、およびメイン電源２２５を含むように構成される。
【００７４】
リレー２２４は、接点２４３およびコイル２４４を含むように構成され、CPU１９１の制御の基に、交流電源からメイン電源２２５へのＡＣ電力の供給を入り切りする。すなわち、コイル２４４には、メイン電源２２３から駆動電圧（ＤＣ電力）が供給され、コイル２４４は、接点２４３を開閉させる。リレー２２４の接点２４３が開いている場合、交流電源からメイン電源２２５へのＡＣ電力の供給が遮断され、リレー２２４の接点２４３が閉じている場合、メイン電源２２５にＡＣ電力が供給される。
【００７５】
リレー２２４の接点２４３は、テレビジョン受像機７１がスタンバイ状態である場合、接点２４３が開かれて、テレビジョン受像機７１が動作状態である場合、接点２４３が閉じられる（接続される）ようになされている。なお、上述したリレー２２１、リレー１９３、およびリレー２２４のそれぞれは、機械式リレーに限らず、半導体リレーなどとすることも可能である。
【００７６】
メイン電源２２５は、交流電源からのＡＣ電力を整流することにより、ＤＣ電力に変換し、これにより得られたＤＣ電力をディスプレイ部８１の各部に供給する。なお、メイン電源２２５は、スタンバイ電源２２２が供給することができるＤＣ電力に比べて、より大きいＤＣ電力を供給できるようになされている。
【００７７】
以上において説明したテレビジョン受像機７１を遠隔操作するリモートコマンダ８５を利用者が操作すると、リモートコマンダ８５は、利用者の操作に応じたコマンド信号を送信する。例えば、テレビジョン受像機７１がスタンバイ状態である場合に、リモートコマンダ８５からコマンド信号が送信されてくると、テレビジョン受像機７１はコマンド信号を受光（受信）して、受光したコマンド信号に応じて所定の処理を行う、コマンドの実行の処理を行う。
【００７８】
以下、図５のフローチャートを参照して、テレビジョン受像機７１による、コマンドの実行の処理を説明する。
【００７９】
なお、テレビジョン受像機７１が、電源をオンさせ動作状態とさせるコマンドの実行の処理を行う場合、テレビジョン受像機７１はスタンバイ状態であるので、接点２４１、接点２４３、およびリレー１９３の接点は開かれている。したがって、メイン電源２２３およびメイン電源２２５からテレビジョン受像機７１の各部には、ＤＣ電力は供給されない。
【００８０】
リモートコマンダ８５からコマンド信号が送信されてくると、ステップＳ１１において、集光レンズ１２１は、リモートコマンダ８５から送信されてきたコマンド信号を集光して、光ケーブル８４に入射させる。光ケーブル８４に入射したコマンド信号（光信号）は、メディアレシーバ８２まで伝送されて、受光部１２２に入射する。
【００８１】
光ケーブル８４から受光部１２２にコマンド信号が入射すると、ステップＳ１２において、受光部１２２は、光ケーブル８４から入射した、光信号であるコマンド信号（コマンド光信号）を電気信号に変換して、変換により得られた電気信号であるコマンド信号（コマンド電気信号）に、例えば、増幅、波形整形などの処理を施して、CPU１９１に供給する。
【００８２】
受光部１２２からCPU１９１にコマンド信号が供給されると、CPU１９１は、受光部１２２から供給されたコマンド信号に、例えば、所定の方式のデコード処理などを施し、コマンド信号を解読する。
【００８３】
CPU１９１がコマンド信号を解読すると、ステップＳ１３にいて、CPU１９１は、解読したコマンド信号が、メイン電源（メイン電源２２３およびメイン電源２２５）のオンを指令するコマンド信号であるか否かを判定する。
【００８４】
ステップＳ１３において、解読したコマンド信号が、メイン電源のオンを指令するコマンド信号であると判定された場合、ステップＳ１４に進み、CPU１９１は、リレー２２１を制御して、リレー２２１にメディアレシーバ８２のメイン電源２２３をオンさせる。
【００８５】
すなわち、例えば、CPU１９１は、リレー２２１を制御してコイル２４２に磁界を発生させて、接点２４１を磁力により閉じさせる。これにより、交流電源からメイン電源２２３にはＡＣ電力が供給されるので、メイン電源２２３は、交流電源からのＡＣ電力を整流することにより、ＤＣ電力に変換し、これにより得られたＤＣ電力をメディアレシーバ８２の各部に供給する。
【００８６】
メイン電源２２３がオンされると、ステップＳ１５において、CPU１９１はリレー１９３を制御して、リレー１９３の接点を閉じさせて、メイン電源２２３に、MCU１９７および電力供給部１９９のリレー２２４にＤＣ電力を供給させる。すなわち、CPU１９１がリレー１９３を制御して、リレー１９３の接点を閉じさせると、メイン電源２２３からMCU１９７および電力供給部１９９のリレー２２４には、ＤＣ電力が供給される。
【００８７】
ステップＳ１６において、CPU１９１は、リレー２２４を制御して、リレー２２４にディスプレイ部８１のメイン電源２２５をオンさせて、コマンドの実行の処理は終了する。
【００８８】
すなわち、例えば、コイル２４４は、メイン電源２２３から供給される電圧（ＤＣ電力）を駆動電圧として、CPU１９１の制御の基に磁界を発生させて、接点２４３を磁力により閉じさせる。これにより、交流電源からメイン電源２２５にはＡＣ電力が供給されるので、メイン電源２２５は、交流電源からのＡＣ電力を整流することにより、ＤＣ電力に変換し、これにより得られたＤＣ電力をディスプレイ部８１の各部に供給する。
【００８９】
このように、メイン電源２２３およびメイン電源２２５がオンされ、ディスプレイ部８１およびメディアレシーバ８２の各部にＤＣ電力が供給されると、テレビジョン受像機７１は、スタンバイ状態から動作状態となり、その後、リモートコマンダ８５から送信されてくるコマンド信号に応じた処理を行う。
【００９０】
一方、ステップＳ１３において、解読したコマンド信号が、メイン電源のオンを指令するコマンド信号でないと判定された場合、ステップＳ１７に進み、CPU１９１は解読したコマンド信号に応じた処理を行い、コマンドの実行の処理は終了する。
【００９１】
例えば、解読したコマンド信号が、所定のチャンネルの選局を指令するコマンド信号であった場合、CPU１９１は、テレビジョン受像機７１がスタンバイ状態であるので、チャンネルを選局する処理を行わない。なお、この場合、例えば、CPU１９１は、ステップＳ１４の処理乃至ステップＳ１６の処理を行い、さらに、コマンド信号により指定されたチャンネルを選局する処理を、メディアレシーバ８２が内蔵しているチューナに行わせるようにすることも可能である。
【００９２】
このようにして、テレビジョン受像機７１は、リモートコマンダ８５から送信されてきたコマンド信号をディスプレイ部８１において集光し、光ケーブル８４でメディアレシーバ８２に伝送する。そして、テレビジョン受像機７１は、メディアレシーバ８２において、コマンド信号を受光し、コマンド信号を解読して、コマンド信号に応じた処理を行う。
【００９３】
このように、送信されてきたコマンド信号を、ディスプレイ部８１の集光レンズ１２１で集光して、集光したコマンド信号を、光ケーブル８４を介してメディアレシーバ８２に供給するようにすることで、ディスプレイ部８１には、コマンド信号を受光するための受光部が必要なくなる。したがって、ディスプレイ部８１には、スタンバイ状態において、受光部にＤＣ電力を供給するスタンバイ電源を設ける必要がないので、従来、少なくとも２つ必要であった、スタンバイ状態においてテレビジョン受像機７１の各部にＤＣ電力を供給するスタンバイ電源を１つにすることができる。その結果、スタンバイ状態における消費電力を大幅に低減することができる。
【００９４】
なお、リモートコマンダからのコマンド信号を、メディアレシーバにおいて直接受光するような構成とすることも可能であるが、この場合、利用者は、リモートコマンダを、ディスプレイ部ではなく、メディアレシーバに向けて操作しなければならない。
【００９５】
一般に、分離型のテレビジョン受像機を配置する場合、利用者は、テレビジョン受像機のディスプレイ部とメディアレシーバとを分離して配置できるという分離型のテレビジョン受像機の特長（特性）を生かして、ディスプレイ部を利用者から見やすい所望の位置に配置して、メディアレシーバを、利用者からは見えにくい位置に配置する場合が多い。
【００９６】
したがって、コマンド信号をメディアレシーバにおいて直接受光するような構成とした場合、コマンド信号を受光する受光部は、メディアレシーバに設けられるので、利用者は、メディアレシーバが、リモートコマンダからのコマンド信号を受光（受信）することができるように、メディアレシーバを、利用者から見えやすい位置に配置しなければならない。すなわち、利用者はメディアレシーバを、必ずしも利用者の所望する位置に配置できるとは限らない。
【００９７】
これに対して、本発明を適用したテレビジョン受像機７１においては、コマンド信号をディスプレイ部８１の集光レンズ１２１で集光して、集光したコマンド信号を、光ケーブル８４を介してメディアレシーバ８２に供給するようにしたので、テレビジョン受像機７１のスタンバイ状態における消費電力を大幅に低減することができるだけでなく、メディアレシーバ８２を利用者が所望する位置に配置することができる。
【００９８】
以上のように、本発明によれば、送信されてきたコマンド信号を、ディスプレイ部において集光し、集光したコマンド信号を光ケーブルで伝送して、メディアレシーバにおいて受光するようにしたので、ディスプレイ部にスタンバイ電源を設ける必要がなく、これによりテレビジョン受像機のスタンバイ状態における消費電力をより低減することができる。
【図面の簡単な説明】
【００９９】
【図１】従来の分離型のテレビジョン受像機の構成を示す図である。
【図２】本発明を適用した分離型のテレビジョン受像機の構成例を示す図である。
【図３】受光部のより詳細な構成例を示す図である。
【図４】テレビジョン受像機のより詳細な構成例を示す図である。
【図５】コマンドの実行の処理を説明するフローチャートである。
【符号の説明】
【０１００】
７１  テレビジョン受像機，  ８１  ディスプレイ部，  ８２  メディアレシーバ，  ８３  銅線ケーブル，  ８４  光ケーブル，  １２１  集光レンズ，  １２２  受光部，  １９１  CPU，  １９２  電力供給部，  １９３  リレー，  １９７  MCU，  １９９  電力供給部，  ２２１  リレー，  ２２２  スタンバイ電源，  ２２３  メイン電源，  ２２４  リレー，  ２２５  メイン電源
【図１】
2006295271.tif 000003
【図２】
2006295271.tif 000004
【図３】
2006295271.tif 000005
【図４】
2006295271.tif 000006
【図５】
2006295271.tif 000007